(57)【要約】【課題】弁本体がハウジング部材とホルダ部材とで分割構成され、ホルダ部材をハウジング部材の有底筒状部に落とし込んで挿着固定するようにされたもとで、加工組立コストを低く抑えることのできる減圧弁を提供する。【解決手段】ハウジング部材１５の有底筒状部１６に設けられた一次側流入口１１の開口周縁部１１Ａとホルダ部材２０に設けられた弁室２１のシール装着面２１Ａとの間に、オーバル形状の流入用開口部５２を持つ湾曲板状体５１からなる開口間シール部材５０が挟圧保持されている。【選択図】図１
2015118411.tif 000002
【特許請求の範囲】
【請求項１】
上面が開口し、内部に弁室が設けられるとともに、該弁室の下側に弁口及び流出室が順次設けられ、外周部に前記弁室に連なる一次側流入口と前記流出室に連なる二次側流出口が設けられた樹脂製の弁本体と、前記弁口をその下側から開閉するための弁体部が設けられ、前記弁本体に上下方向に摺動自在に嵌挿された弁棒と、該弁棒を上下方向に開閉駆動すべく前記弁本体の上面開口を塞ぐようにその上部に取り付けられた感圧応動部材と、を備え、前記弁本体の上部で前記感圧応動部材の下面側に、二次側圧力を前記感圧応動部材に感知させるための感圧室が設けられている減圧弁であって、
前記弁本体は、前記一次側流入口がその外周部に開口する有底筒状部を有するハウジング部材と、前記有底筒状部に挿着固定され、前記弁棒が摺動自在に嵌挿される案内孔、前記一次側流入口に連なる周側開口部を持つ前記弁室、及び前記弁口が設けられた円筒状のホルダ部材とで分割構成され、
前記ハウジング部材の有底筒状部に設けられた一次側流入口の開口部と前記ホルダ部材に設けられた前記弁室の前記周側開口部との間を封止すべく、流入用開口部を持つシート状、板状、もしくはリング状の開口間シール部材が前記一次側流入口の開口周縁部と前記弁室のシール装着面との間に介装されていることを特徴とする減圧弁。
【請求項２】
前記開口間シール部材は、前記一次側流入口の開口周縁部と前記弁室の前記シール装着面との間に厚み方向に圧縮されて挟圧保持されていることを特徴とする請求項１に記載の減圧弁。
【請求項３】
前記開口間シール部材は、前記流入用開口部に沿ってその内面側及び／又は外面側に、当該シール部材の厚み方向に突出する環状突起が設けられていることを特徴とする請求項１又は２に記載の減圧弁。
【請求項４】
前記一次側流入口の開口部、前記弁室の周側開口部、及び前記開口間シール部材の流入用開口部は、概略同一寸法の湾曲した楕円形状とされていることを特徴とする請求項１から３のいずれか一項に記載の減圧弁。
【請求項５】
前記開口間シール部材は、自然状態において前記ホルダ部材の円筒状外周面に概ね沿うような湾曲した形状とされていることを特徴とする請求項１から４のいずれか一項に記載の減圧弁。
【請求項６】
前記開口間シール部材は、前記弁室の前記シール装着面及び／又は前記一次側流入口の前記開口周縁部に焼き付け、接着、圧入等により固定されていることを特徴とする請求項１から５のいずれか一項に記載の減圧弁。
【請求項７】
前記ホルダ部材に、前記開口間シール部材が装着される前記シール装着面が設けられていることを特徴とする請求項１から６のいずれか一項に記載の減圧弁。
【請求項８】
楕円形状の開口部が形成されるとともに、該開口部に沿ってその内面側及び外面側に厚み方向に突出する環状突起が設けられた湾曲板状体からなることを特徴とする開口間シール部材。
【発明の詳細な説明】
【技術分野】
【０００１】
本発明は、給湯設備等に使用される減圧弁に係り、特に、弁本体がハウジング部材とホルダ部材とで分割構成されているタイプの減圧弁及びそれに用いられる開口間シール部材に関する。
【背景技術】
【０００２】
給湯設備等に使用される減圧弁として、例えば下記特許文献１に所載のように、樹脂製の弁本体と、弁棒と、感圧応動部材（ダイアフラム装置）とを備えたものが知られている。
【０００３】
詳細には、樹脂製の弁本体は、上面が開口し、内部に弁口付き弁座を有する弁室が設けられるとともに、弁口の下側に流出室が設けられ、外周部に弁室に連なる一次側流入口と前記流出室に連なる二次側流出口が設けられている。
【０００４】
また、弁棒は、弁口をその下側から開閉するための弁体部が設けられ、前記弁本体に上下方向に摺動自在に嵌挿されている。
【０００５】
前記感圧応動部材は、弁棒を上下方向に開閉駆動すべく前記弁本体の上面開口を塞ぐようにその上部に取り付けられている。
【０００６】
また、前記二次側流出口と感圧応動部材との間に二次側圧力を感圧応動部材（のダイアフラム）に感知させるための感圧室が設けられている。
【０００７】
かかる減圧弁では、樹脂製の弁本体や通路構成部品等が圧力によって破壊されるのを防止すべく、一次側の圧力が弁本体や通路構成部品の耐圧限界値を越えたときに開弁して一次側の圧力を二次側に逃がす逃がし弁が弁本体内に設けられている。
【０００８】
しかしながら、上記特許文献１に所載の減圧弁では、逃がし弁の逃がし弁口が感圧室に開口しているので、一次側圧力が所定値を越えたとき、逃がし弁が開くと、一次側圧力は逃がし弁から感圧室を経由して二次側流出口へと抜けるので、ダイアフラム装置に悪影響を及ぼし、調圧動作が乱れるおそれがあり、また、単一の弁本体内に弁棒の案内孔、弁室、流出室、感圧室等を形成して、弁棒を後付けする構成であるので、弁本体の下面を開口として、この下面開口から弁棒を挿入した後に、該下面開口を別体のねじ込み式底蓋部材で閉塞するとともに、外部との気密性を確保するため、この閉塞部分をＯリング等でシールする必要がある。そのため、部品点数が多くなり、部品コスト、加工組立てコストが高くなる等の問題がある。
【０００９】
かかる問題を解消すべく、本発明の発明者等は、先に、次のような構成の減圧弁を提案している（特許文献２参照）。
【００１０】
すなわち、前記提案の減圧弁は、上面が開口し、内部に弁室が設けられるとともに、該弁室の下側に弁口及び流出室が順次設けられ、外周部に前記弁室に連なる一次側流入口と前記流出室に連なる二次側流出口が設けられた樹脂製の弁本体と、前記弁口をその下側から開閉するための弁体部が設けられ、前記弁本体に上下方向に摺動自在に嵌挿された弁棒と、該弁棒を上下方向に開閉駆動すべく前記弁本体の上面開口を塞ぐようにその上部に取り付けられた感圧応動部材と、を備え、前記弁本体の上部で前記感圧応動部材の下面側に、二次側圧力を前記感圧応動部材に感知させるための感圧室が設けられている。
【００１１】
加えて、前記弁本体は、前記一次側流入口がその外周部に開口する有底筒状部を有する樹脂製のハウジング部材と、前記有底筒状部に上から落とし込まれるように挿入されて溶着等により固定され、前記弁棒が摺動自在に嵌挿される案内孔、前記一次側流入口に連なる周側開口部を持つ前記弁室、及び前記弁口が設けられた樹脂製の円筒状ホルダ部材とで分割構成されるとともに、前記ホルダ部材と前記有底筒状部の底部との間に前記流出室が画成され、前記ホルダ部材に、一次側圧力が所定値を越えたとき一次側圧力を前記流出室に逃がす逃がし弁が設けられている。
【００１２】
かかる前記提案の減圧弁では、逃がし弁の設置部位が、従来例のように感圧応動部材側ではなく、感圧応動部材とは反対側とされ、一次側圧力が所定値を越えたとき、一次側圧力を逃がし弁を介して（従来例のように感圧室ではなく）二次側流出口に近い流出室を経由して二次側流出口へ逃がすように構成されるので、逃がし弁が開いたとき感圧応動部材への影響は少ない。そのため、調圧動作が乱されることなく、樹脂製の弁本体や通路構成部品等が圧力によって破壊されるのを防止することができる。
【００１３】
また、前記弁本体は、ハウジング部材とホルダ部材とで分割構成されているので、従来例のように弁本体の下面開口を別体のねじ込み式底蓋部材で閉塞するとともに、この閉塞部分をＯリング等でシールすることは不要となる。そのため、部品点数の削減、加工組立てコストの低減等を効果的に図ることができる。
【先行技術文献】
【特許文献】
【００１４】
【特許文献１】特許第４２９０２００号公報
【特許文献２】特開２０１３−２０５９９２号公報
【発明の概要】
【発明が解決しようとする課題】
【００１５】
しかしながら、前記提案の減圧弁においては、前記弁本体がハウジング部材とホルダ部材とで分割構成され、ホルダ部材をハウジング部材（の有底筒状部）に落とし込むように挿入して固定するようにされている関係上、一次側（流入口、弁室）と二次側（感圧室、流出室）との間を確実にシールする必要があり、そのため、ホルダ部材の上部（周側開口部より上側）をハウジング部材の上部（一次側流入口より上側）に溶着等により気密的に接合することにより、ホルダ部材のハウジング部材への固定とシールを行うとともに、ホルダ部材の下部（周側開口部より下側）とハウジング部材の下部（一次側流入口の下側）との間にＯリング等のシール材を介装する必要があり、そのため、加工組立コストが嵩むという問題があった。
【００１６】
本発明は、上記事情に鑑みてなされたもので、その目的とするところは、弁本体がハウジング部材とホルダ部材とで分割構成され、ホルダ部材をハウジング部材の有底筒状部に落とし込んで挿着固定するようにされたもとで、加工組立コストを低く抑えることのできる減圧弁及びそれに用いられる開口間シール部材を提供することにある。
【課題を解決するための手段】
【００１７】
前記の目的を達成すべく、本発明に係る減圧弁は、基本的には、上面が開口し、内部に弁室が設けられるとともに、該弁室の下側に弁口及び流出室が順次設けられ、外周部に前記弁室に連なる一次側流入口と前記流出室に連なる二次側流出口が設けられた樹脂製の弁本体と、前記弁口をその下側から開閉するための弁体部が設けられ、前記弁本体に上下方向に摺動自在に嵌挿された弁棒と、該弁棒を上下方向に開閉駆動すべく前記弁本体の上面開口を塞ぐようにその上部に取り付けられた感圧応動部材と、を備え、前記弁本体の上部で前記感圧応動部材の下面側に、二次側圧力を前記感圧応動部材に感知させるための感圧室が設けられる。
【００１８】
そして、前記弁本体は、前記一次側流入口がその外周部に開口する有底筒状部を有するハウジング部材と、前記有底筒状部に挿着固定され、前記弁棒が摺動自在に嵌挿される案内孔、前記一次側流入口に連なる周側開口部を持つ前記弁室、及び前記弁口が設けられた円筒状のホルダ部材とで分割構成され、前記ハウジング部材の有底筒状部に設けられた一次側流入口の開口部と前記ホルダ部材に設けられた弁室のシール装着面との間を封止すべく、流入用開口部を持つシート状、板状、もしくはリング状の開口間シール部材が前記一次側流入口の開口周縁部と前記弁室の前記シール装着面との間に介装されていることを特徴としている。
【００１９】
また、前記開口間シール部材は、前記一次側流入口の開口周縁部と前記弁室の前記シール装着面との間に厚み方向に圧縮されて挟圧保持され、前記流入用開口部に沿ってその内面側及び／又は外面側に、当該シール部材の厚み方向に突出する環状突起が設けられている。
【００２０】
更に、好ましい態様としては、前記一次側流入口の開口部、前記弁室の周側開口部、及び前記開口間シール部材の流入用開口部は、概略同一寸法の湾曲した楕円形状とされていることを特徴としている。
【００２１】
更にまた、他の好ましい態様としては、前記開口間シール部材は、自然状態において前記ホルダ部材の円筒状外周面に概ね沿うような湾曲した形状とされ、前記弁室の周側開口周縁部及び／又は前記一次側流入口の開口周縁部に焼き付け、接着、圧入等により固定されていることを特徴としている。
【００２２】
更にまた、前記ホルダ部材には、前記開口間シール部材が装着されるシール装着面が設けられていることを特徴としている。
【００２３】
一方、本発明に係る開口間シール部材は、上記減圧弁等の流体が流通する機器類に用いられるもので、オーバル形状の開口部が形成されるとともに、該開口部に沿ってその内面側及び外面側に厚み方向に突出する環状突起が設けられた湾曲板状体からなっている。
【発明の効果】
【００２４】
本発明に係る減圧弁では、ハウジング部材に設けられた一次側流入口の開口周縁部とホルダ部材に設けられた弁室のシール装着面との間に開口間シール部材が介装されるので、一次側（流入口、弁室）と二次側（感圧室、流出室）との間を別途にシールする必要がなくなり、そのため、先提案のものでは溶着等により気密的に接合していたホルダ部材の上部とハウジング部材の上部との間には気密性は要求されず、この上部においてはホルダ部材のハウジング部材への固定のみを行えばよい（ねじ止めでも可）ので、厳格な寸法管理や綿密性が要求される、気密性を確保するためのは作業は不要となり、また、先提案のものにおいてホルダ部材の下部とハウジング部材の下部との間をシールしていたＯリング等のシール材は不要となるので、それらが相俟って加工組立コストを低く抑えることができる。
【００２５】
また、本発明に係る開口間シール部材は、減圧弁だけでなく、湾曲したオーバル形状の開口部が形成された第１円筒体に、前記開口部と概略同一寸法形状の周側開口部が形成された第２円筒体を挿入して、前記開口部と周側開口部を対向させるとともに、前記開口部と周側開口部との間を封止する必要のある組立体（流体が流通する機器類）であれば、同様に適用できる。
【００２６】
この場合、従前の前記機器類では、先提案の減圧弁と同様に第１及び第２円筒体の上部と下部において溶着やＯリング等でシールしていたが、本発明の開口間シール部材を用いれば、シール箇所が１箇所で済み、部品点数の削減、加工組立コストの低減等を図ることができる。
【図面の簡単な説明】
【００２７】
【図１】本発明に係る減圧弁の一実施例を示す縦断面図。
【図２】図１のＪ−Ｊ矢視線に従う断面図。
【図３】図１に示されるホルダ部材を示し、（Ａ）は一側上方斜視図、（Ｂ）は他側下方斜視図。
【図４】図１に示されるホルダ部材の水平断面を示し、（Ａ）は図２のＵ−Ｕ矢視線に従う断面図、（Ｂ）は図１のＫ−Ｋ矢視線に従う断面図。
【図５】図１に示される開口間シール部材の自然状態を示し、（Ａ）は凹側上方斜視図、（Ｂ）は凸側上方斜視図。
【発明を実施するための形態】
【００２８】
以下、本発明の実施形態を図面を参照しながら説明する。
【００２９】
図１は、本発明に係る減圧弁の一実施例を示す縦断面図である。
図示の減圧弁１は、樹脂製の弁本体１０と、弁棒３０と、感圧応動部材としてのダイアフラム装置４０とを備えている。
【００３０】
樹脂製の弁本体１０は、上面が開口し、内部に弁室２１が設けられるとともに、その下側に弁座２３付き弁口２２が設けられ、さらに弁口２２の下側に流出室２６が設けられ、外周部に弁室２１に連なる一次側流入口１１（開口部１１ａ）と流出室２６に連なる二次側流出口１２（開口部１２ａ）が設けられている。また、弁本体１０の上部でダイアフラム装置４０（ダイアフラム４１）の下面側に、二次側圧力をダイアフラム装置４０に感知させるための感圧室２４が画成されている。
【００３１】
また、弁棒３０は、上から順に、後述するダイアフラム装置４０連結用の突出雄ねじ部３１、ダイアフラム支承部３２、摺動大径部３３、中間小径部３４、円錐状係止部３６ａ付き取付部３６、及び前記取付部３６に外嵌され、弁口２２をその下側から開閉するための弁体部３５を有し、その摺動大径部３３が弁本体１０（の案内孔１９）に上下方向に摺動自在に嵌挿されている。
【００３２】
弁棒３０の摺動大径部３３の外周には、案内孔１９との間に形成される摺動面間隙をシールすべく、Ｏリング２８が装着されている。
【００３３】
弁体部３５は、前記弁座２３に接離する短円筒状のゴム製のシール部材３５ａと、該シール部材３５ａを円錐状係止部３６ａ付き取付部３６に取付固定するための、通し穴３７ａ付き有底短円筒状の下側押さえ部材３７とを備え、該下側押さえ部材３７は取付部３６の下端部に設けられた縦穴状円筒部３６ｂでかしめ固定（かしめ部３８）されている。
【００３４】
ダイアフラム装置４０は、弁棒３０を上下方向に開閉駆動すべく弁本体１０の上面開口１０ａを塞ぐようにその上部に取り付けられている。詳細には、ダイアフラム装置４０は、弁本体１０の上面開口１０ａを覆うように配在された中央通し穴付きダイアフラム４１と、このダイアフラム４１の外周部を弁本体１０のダイアフラム受け部１０ｂと協同してその下端面部４２ｂで挟圧封止する断面概略段付き凸字状のキャップ４２と、ダイアフラム４１とキャップ４２の上部との間に配在されてダイアフラム４１を下方に付勢する圧縮コイルばね４５と、を有している。
【００３５】
加えて、ダイアフラム４１と弁棒３０との連結固定等のため、次の構成部材を備えている。すなわち、弁棒３０の突出雄ねじ部３１挿通用の中央通し穴を有し、前記圧縮コイルばね４５の下端を受け止めるべくダイアフラム４１上に乗せられる下側ばね受け部材４３と、前記突出雄ねじ部３１に螺合せしめられてダイアフラム支承部３２と協同してダイアフラム４１を挟圧保持するための締付用ナット４４と、圧縮コイルばね４５の上端を受け止める逆立ハット形の上側ばね受け部材４６と、この上側ばね受け部材４６の受け止めと圧縮コイルばね４５のセット荷重調節とに供すべく、前記キャップ４２の上部口筒部４２ａ内周に形成された雌ねじ部４２ｉに螺合せしめられる雄ねじ部４７ｅが形成された調節用ナット４７と、を備え、キャップ４２の下端面部４２ｂを複数本のボルト類４８で弁本体１０の上面部に締付固定することにより、ダイアフラム装置４０は弁本体１０に組み付けられている。
【００３６】
なお、前記突出雄ねじ部３１の上部には、締付用ナット４４を螺合締付する際の回り止めに供される両面平行面取りされた把持部３１ａ（図２）が形成されている。また、上側ばね受け部材４６の底部中央は球面受座とされるとともに、調節用ナット４７の下部は逆立円錐台状とされて、上側ばね受け部材４６（及び圧縮コイルばね４５）には自動調芯性が与えられている。
【００３７】
前記弁本体１０は、より詳細には、一次側流入口１１がその外周部に開口する有底筒状部１６を有する樹脂製のハウジング部材１５と、前記有底筒状部１６に上から落とし込まれるようにして挿着固定され、弁棒３０（の摺動大径部３３）が摺動自在に嵌挿される案内孔１９、ハウジング部材１５の一次側流入口１１（開口部１１ａ）に連なる周側開口部２１ａを持つ弁室２１、及び前記弁体部３５により開閉される弁座２３付き弁口２２が設けられた樹脂製のホルダ部材２０とで分割構成されている。
【００３８】
ハウジング部材１５の有底筒状部１６においては、その中心線Ｏに対して一次側流入口１１（の中心線）が直交配置されており、一次側流入口１１の開口部１１ａは、流体の流入方向から見た場合に円形であり、これを展開すれば有底筒状部１６の外周面に沿って湾曲した楕円形状とされている。
【００３９】
また、有底筒状部１６の上部内周には、環状係止部１６ｄを有する大径嵌挿穴１６ａが形成されるとともに、ホルダ部材２０（の上側嵌合部２０Ａ）における上部外周には前記大径嵌挿穴１６ａに嵌め込まれて係止される環状掛止部２０ｄを有する大径嵌合部２０ａが設けられており、組立時に、後述する開口間シール部材５０を伴うホルダ部材２０を有底円筒状部１６内に落とし込むように挿入して大径嵌挿穴１６ａと嵌合部２０ａとの接触部分（環状係止部１６ｄ周りと環状掛止部２０ｄ周り）を超音波溶着により溶着固定するようになっている。なお、後述するように、ここでの溶着は、ホルダ部材２０をハウジング部材１５に固定するためのもので、気密性は要求されない。ハウジング部材１５とホルダ部材２０は、超音波溶着する関係上、同一材質とすることが好ましい。
【００４０】
ホルダ部材２０は、概略形状が段付き円筒状とされ、上側嵌合部２０Ａと、中間嵌合部２０Ｂと、下部小径部２０Ｃとからなっている。上側嵌合部２０Ａは、図１、図２に加えて図３、図４を参照すればよくわかるように、成形上の便宜（薄肉化・均肉化して変形やボイドの発生を抑制）を図るための、肉抜き凹部２０ｅや円環状深溝２０ｆ（下部小径部２０Ｃにも円弧状溝２０ｋ）等が形成されるとともに、肉抜き凹部２０ｅの底部の内周には、前記案内孔１９の最上部を構成するように左右一対の平面視扇形状の凸部２０ｇが立設されている。
【００４１】
また、ホルダ部材２０の上端一側部には、組立時、つまり有底筒状部１６に落とし込こむようにして挿着固定する際の便宜（位置決め等）を図るべく、径方向外方に突出する平面視概略矩形状の横突片部２０ｊが設けられている。この横突片部２０ｊは有底筒状部１６の上端部に形成された凹部１６ｊ（図２）に嵌合せしめられる。
【００４２】
また、円環状深溝２０ｆの一部の下側には、後述する流出室２６と感圧室２４とを連通させるように断面円弧状の感圧通路２５が連設されている。なお、肉抜き凹部２０ｅや円環状深溝２０ｆは感圧室２４の一部を構成する。
【００４３】
ホルダ部材２０の中間嵌合部２０Ｂの内部には、弁室２１が形成されている。ホルダ部材２０の、中間嵌合部２０Ｂ及び下部小径部２０Ｃには、下部小径部２０Ｃよりも小径なシール装着面２１Ａが設けられていて、このシール装着面２１Ａの中間嵌合部２０Ｂからの深さは、後述する開口間シール部材５０の板状部分（図５に示される湾曲矩形板状部５１）の厚みとほぼ同じ寸法とされている。
【００４４】
弁室２１の側面とシール装着面２１Ａとの間には、一次側流入口１１の開口部１１ａと概略同一寸法形状の、シール装着面２１Ａに沿って湾曲した楕円形状の周側開口部２１ａが形成されている。
【００４５】
そして、一次側流入口１１の開口部１１ａと弁室２１の周側開口部２１ａとの間を封止すべく、一次側流入口１１の開口周縁部１１Ａとホルダ部材２０のシール装着面２１Ａとの間に、開口間シール部材５０が介装されている。この開口間シール部材５０については後で詳述する。
【００４６】
ホルダ部材２０の下部小径部２０Ｃは、その外周部のうちの二次側流出口１２側の一部が切欠されており、中間嵌合部２０Ｂの弁室２１の下側に連なって弁座２３付き弁口２２が形成されている。ホルダ部材２０の下部と有底筒状部１６の底部１６ｂとの間には、二次側流出口１２が開口する流出室２６が画成されている。
【００４７】
また、ホルダ部材２０には、上側嵌合部２０Ａと中間嵌合部２０Ｂとを貫通するように、言い換えれば、前記流出室２６と感圧室２４とを連通させるように断面円弧状の感圧通路２５が設けられている。
【００４８】
また、本実施例では、樹脂製の弁本体１０や通路構成部品等が圧力によって破壊されるのを防止すべく、一次側の圧力が所定の圧力を越えたときに開く逃がし弁７０がホルダ部材２０における下部２０Ｃに横向きに（半径方向に沿って）設けられている（図２参照）。詳細には、逃がし弁７０は、小径下部２０Ｃの外周面から半径方向に沿って横向きに形成された有底の収納穴７１と、該収納穴７１の底部（弁座）７２に形成されて弁口２２に開口するオリフィスからなる逃がし弁口７３と、この逃がし弁口７３を開閉するゴム製のボール弁体７５と、このボール弁体７３を閉弁方向に付勢する圧縮コイルばねからなる閉弁ばね７６と、を備え、この閉弁ばね７６のばね受けとして前記有底筒状部１６の内周壁部が使用されている。
【００４９】
次に、一次側流入口１１の開口周縁部１１Ａとホルダ部材２０のシール装着面２１Ａとの間に介装された開口間シール部材５０について説明する。
【００５０】
開口間シール部材５０は、ゴム等の弾力性を持つ材料を素材として金型成形により製作され、図５にその自然状態（組み付け前の状態）が示されているように、ホルダ部材２０におけるシール装着面２１Ａの円筒状外周面に概ね沿うような湾曲した形状とされている。
【００５１】
詳細には、シール装着面２１Ａに嵌め込まれる湾曲矩形板状部５１を有し、この湾曲矩形板状部５１の中央に、一次側流入口１１の開口部１１ａ及び弁室２１の周側開口部２１ａと概略同一寸法の楕円形状とされた流入用開口部５２が形成されている。
【００５２】
前記湾曲矩形板状部５１における内面側及び外面側には、流入用開口部５２に沿って、自然状態において当該湾曲矩形板状部５１の厚み方向に突出する断面半円状の環状突起５５、５６が設けられている。
【００５３】
また、湾曲矩形板状部５１における左右両端部中央には、位置ずれ防止等のため、前記シール装着面２１Ａの両側に形成された横嵌合部２１ｙに嵌合する矩形横突出部５３、５３が設けられている。
【００５４】
かかる構成の開口間シール部材５０を弁室２１のシール装着面２１Ａと一次側流入口１１の開口周縁部１１Ａとの間に組み付けるにあたっては、ホルダ部材２０の２つの横嵌合部２１ｙに開口間シール部材５０のそれぞれの矩形横突出部５３を嵌合させるようにして、該開口間シール部材５０をシール装着面２１Ａに当て、この状態を保ちながら、ホルダ部材２０を有底円筒状部１６内に差し込み、有底筒状部１６の上部内周に形成された大径嵌挿穴１６ａの環状係止部１６ｄにホルダ部材２０の上部外周に形成された大径嵌合部２０ａの環状掛止部２０ｄが当接するまで押し込む。
【００５５】
このとき、開口間シール部材５０の下面は、ハウジング部材１０の底部に設けられた段状部１１Ｖに当接又は近接する。
【００５６】
これにより、開口間シール部材５０、あるいは少なくとも環状突起５５、５６は厚み方向に圧縮されつつ、ホルダ部材２０のシール装着面２１Ａと弁本体１０の内周部との間にぴったりと嵌合して、挟圧保持される（図１参照）。この場合、湾曲矩形板状部５１の内面側及び外面側に突設されている環状突起５５、５６は圧縮されて押し潰され （図１ではほとんど見えない）、該環状突起５５、５６部分の対接面圧が上がり、開口部１１ａと周側開口部２１ａとの密封性が高められる。
【００５７】
このようにして、開口間シール部材５０を組み付けた後、大径嵌挿穴１６ａと嵌合部２０ａとの接触部分（環状係止部１６ｄ周りと環状掛止部２０ｄ周り）を超音波溶着により溶着固定する。
【００５８】
上記のようにして開口間シール部材５０を組み付けているので、この開口間シール部材５０の作用のみで、一次側（流入口１１、弁室２１）と二次側（感圧室２４、流出室２６）との間は確実にしっかりとシールされている。
【００５９】
したがって、本発明実施例の減圧弁１では、一次側（流入口１１、弁室２１）と二次側（感圧室２４、流出室２６）との間を別途にシールする必要がなくなり、そのため、先提案のものでは溶着等により気密的に接合していたホルダ部材２０の上部とハウジング部材１５（有底筒状部１６）の上部との間には気密性は要求されず、この上部においてはホルダ部材２０のハウジング部材１５への固定のみを行えばよいので、厳格な寸法管理や綿密性が要求される、気密性を確保するための溶着作業は不要となり、簡易な溶着作業で済ませることができ、また、先提案のものにおいてホルダ部材２０の下部とハウジング部材１５の下部との間をシールしていたＯリング等のシール材は不要となるため、それらが相俟って加工組立コストも低く抑えることができる。
【００６０】
また、楕円形状の開口部（５２）が形成されるとともに、該開口部（５２）に沿ってその内面側及び外面側に厚み方向に突出する環状突起（５５、５６）が設けられた湾曲板状体（５１）からなる開口間シール部材（５０）は、上記実施例の如くの減圧弁（１）だけでなく、湾曲した楕円形状の開口部（１１ａ）が形成された第１円筒体（１６）に、前記開口部（１１ａ）と概略同一寸法形状の周側開口部（２１ａ）が形成された第２円筒体（２０）を挿入して、前記開口部１１ａと周側開口部（２１ａ）を対向させるとともに、前記開口部１１ａと周側開口部（２１ａ）との間を封止する必要のある組立体（流体が流通する機器類）であれば、同様に適用できる。
【００６１】
この場合、従前の前記機器類では、先提案の減圧弁と同様に第１及び第２円筒体（１６、２０）の上部と下部において溶着やＯリング等でシールしていたが、本発明実施例の開口間シール部材（５０）を用いれば、シール箇所が１箇所で済み、部品点数の削減、加工組立コストの低減等を図ることができる。
【００６２】
なお、上記実施例では、ホルダ部材２０をハウジング部材１５（有底筒状部１６）に溶着により固定していたが、前述したように該固定部分に気密性は要求されないので、その固定手法としては、溶着に限られることはなく、ねじ止め、かしめ止め、接着、螺合、圧入等でもよく、また、固定部位も、上部に限られることはなく、下部や側部等でもよい。
【００６３】
また、上記実施例では、開口間シール部材５０は、自然状態（組み付け前の状態）においてホルダ部材２０における中間嵌合部２０Ｂの円筒状外周面に概ね沿うような湾曲した形状とされているが、これに限られることはなく、自然状態では平板状で組み付け時に湾曲させるようにしたものでもよい。
【００６４】
また、ホルダ部材２０をハウジング部材１５に挿着固定する前に、開口間シール部材５０をホルダ部材２０の周側開口周縁部２１Ａ（又は一次側流入口１１の開口周縁部１１Ａ）に焼き付け、接着、圧入等により固着しておいてもよいし、別途に係止手段を講じて開口間シール部材５０を湾曲させた状態でホルダ部材２０の周側開口周縁部２１Ａ（又は一次側流入口１１の開口周縁部１１Ａ）に固定するようにしてもよい。
【００６５】
また、開口間シール部材５０は、上記実施例のような矩形板状に限られず、楕円板状等でもよいし、たわみやすいシート状のものやリング状のもの等でもよい。
【００６６】
また、環状突起５５、５６は、断面半円形状であるものとして説明したが、この環状突起の断面は、山型、リブ状など、いかなる形状でも良い。
【００６７】
更に、湾曲矩形板状部５１が比較的小さく、及び／あるいは当該開口間シール部材５０が比較的軟らかい弾性材料により構成されている場合には、湾曲矩形板状部５１の厚みをシール装着面２１Ａの中間嵌合部２０Ｂからの深さ（あるいはシール装着面２１Ａと弁本体１０の開口周縁部１１Ａとの間の距離）よりも大きな厚みとし、該湾曲矩形板状部５１そのものの弾性力を利用して開口部１１ａと周側開口部２１ａとを密封するようにすれば、環状突起５５、５６の一方、又はその双方を省略できることは言うまでもない。
【００６８】
更にまた、開口間シール部材５０の素材は、湾曲矩形板状部５１、流入用開口部５２、環状突起５５、５６が一体的に形成される場合には、ゴムに限られず、弾力性を有するものであれば他の材料でもよい。
【００６９】
更にまた、開口間シール部材５０に環状突起５５、５６を設ける場合には、環状突起５５、５６のみを弾性材料で構成し、湾曲矩形板状部５１は弾性を有しない材料で構成しても良い。この場合、湾曲矩形板状部５１に対して環状突起５５、５６を接着、溶着あるいはインサート形成等の手法により、開口間シール部材５０を構成することができる。  さらにまた、開口間シール部材は、予め湾曲された湾曲矩形板状部を備えるものとして説明したが、本発明はこれのみに限定されることはなく、平面状に形成された弾性を有する板状部を備え、これをホルダ部材のシール装着面に巻きつけるようにしてから弁本体に装着しても良いことは当然である。
【符号の説明】
【００７０】
１    減圧弁
１０  弁本体
１１  一次側流入口
１１Ａ  開口周縁部
１１Ｖ  段状部
１２  二次側流出口
１５  ハウジング部材
１６  有底円筒状部
１９  案内孔
２０  ホルダ部材
２１  弁室
２１Ａ  シール装着面
２２  弁口
２３  弁座
２４  感圧室
２５  感圧通路
２６  流出室
３０  弁棒
３５  弁体部
４０  ダイアフラム装置
４１  ダイアフラム
５０  開口間シール部材
５１  湾曲矩形板状部
５２  流入用開口部
５５、５６  環状突起
７０  逃がし弁
【図１】
2015118411.tif 000003
【図２】
2015118411.tif 000004
【図３】
2015118411.tif 000005
【図４】
2015118411.tif 000006
【図５】
2015118411.tif 000007